(57)【要約】【課題】  簡単な構成により安全で且つ良好な使用状態を確保できると共に、複数のノズルキャップ付き容器をスタック状態においても上下の容器同士を容易に分離できるノズルキャップ付き容器を創出することを課題とする。【解決手段】  胴部（１３）を肉薄状とした容器本体（１０）と、射出成形法を用いて一体成形された、キャップ部（３）、ノズル部（４）及びノズル部（４）を下方に延設させた穿孔端（４ｂ）並びに破断可能なバージン機構（６）を介してキャップ部（３）の下端に垂下設されると共に容器本体（１０）に不動に組み付くスカート部（５）を備えた合成樹脂製のノズルキャップ（２）と、を有し、容器本体（１０）の胴部（１３）を、底部（１４）から口筒部（１１）に向かって徐々に縮径するテーパ円筒状にすると共に、ノズル部（４）の先端の外径寸法（φ２）を口筒部（１１）の内径寸法（φ１）未満と有する構成とする。【選択図】  図１
2014088206.tif 000002
【特許請求の範囲】
【請求項１】
口筒部（１１）先端の吐出口（１１ａ）が封止体（１５）により封止されると共に胴部（１３）を肉薄状とした容器本体（１０）と、
射出成形法を用いて一体成形された、前記容器本体（１０）の口筒部（１１）の周囲に螺着されるキャップ部（３）、前記キャップ部（３）の頂壁（３ａ）に起立設されたノズル部（４）及び前記頂壁（３ａ）の下端に前記ノズル部（４）を下方に延設させた穿孔端（４ｂ）並びに破断可能なバージン機構（６）を介して前記キャップ部（３）の下端に垂下設されると共に前記容器本体（１０）に不動に組み付くスカート部（５）を備えた合成樹脂製のノズルキャップ（２）と、を有し、
前記容器本体（１０）の胴部（１３）を、底部（１４）から前記口筒部（１１）に向かって徐々に縮径するテーパ円筒状にすると共に、前記ノズル部（４）の先端の外径寸法（φ２）を前記口筒部（１１）の内径寸法（φ１）未満としたことを特徴とするノズルキャップ付き容器。
【請求項２】
口筒部（１１）の内壁で且つ吐出口（１１ａ）の下部近傍の位置に凸リブ（１８）を形成した請求項１記載のノズルキャップ付き容器。
【請求項３】
バージン機構（６）を、キャップ部（３）とスカート部（５）との間を接続する肉薄部により形成した請求項１又は２記載のノズルキャップ付き容器。
【請求項４】
バージン機構（６）を、キャップ部（３）とスカート部（５）との間を間欠的に接続する複数の連結片により形成した請求項１又は２記載のノズルキャップ付き容器。
【請求項５】
封止体（１５）を、封止シール、又は口筒部（１１）と一体成形される肉薄状の蓋体とした請求項１乃至４のいずれか一項に記載のノズルキャップ付き容器。
【請求項６】
スカート部（５）と容器本体（１０）との一方に係止凸部（７）が形成され、他方に係止凹部（１６）が形成されており、両者が組み付くことによりアンダーカット結合される請求項１乃至５のいずれか一項に記載のノズルキャップ付き容器。
【請求項７】
容器本体（１０）の外面とスカート部（５）の内面とが対向する部分の一方に第１リブ（８）が形成され、他方に第２リブ（１７）が形成されており、両者が周方向に噛み合い可能に組み付けられる請求項１乃至６のいずれか一項に記載のノズルキャップ付き容器。
【発明の詳細な説明】
【技術分野】
【０００１】
本発明は、ノズル先端から内容物を注出するノズルキャップ付き容器に係わり、特にはバージン機構を備えた合成樹脂製のノズルキャップ付き容器に関する。
【背景技術】
【０００２】
容器にノズルを備えたノズル付き容器としては、例えば以下の特許文献１に開示された先行技術があり、特許文献１には、上方に内容物を出し入れするためのノズル部２を形成した口部３と、口部３から下方へ一様に傾斜したテーパ状の肩部４と、肩部４の下方に続く内容物を収容する胴部５とから一体に形成されたチューブ容器１が記載されている。
【０００３】
しかし、特許文献１に記載のノズル付き容器では、バージン機構を有しない構成であるため、内容物の劣化が問題となり、保存性に適さないという問題があった。
そこで、バージン機構付のノズルキャップを備えた容器が考案されており、バージン機構付のノズルキャップとしては例えば以下の特許文献２に開示された先行技術がある。この先行技術にあっては、ノズル筒の上端に設けられたモギリ栓をもぎ取ると、バージン性が破られノズル孔から内容物を注出することが可能となっている。
【先行技術文献】
【特許文献】
【０００４】
【特許文献１】特開２００７−１１９０２３号公報
【特許文献２】特開２００３−９５３０４号公報
【発明の概要】
【発明が解決しようとする課題】
【０００５】
しかしながら、特許文献２に記載の発明では、ノズル筒の上端に位置するノズル孔の上端開口縁がモギリ栓との連結部となる構成であるため、もぎ取り跡のバリ等が開放されたノズル孔の上端開口縁にバリ等が残存形成され易く、このような容器に例えば軟膏やクリーム、あるいは養毛剤等の内容物を充填した場合には、内容物の注出使用時に、このバリ等が頭皮等の皮膚に触れて、この皮膚に不快な触感を与えると云う問題や傷をつけ易いと云う不都合があった。
【０００６】
また特許文献１に示すチューブ容器のノズル部の代わりに、特許文献２に記載のノズルキャップを一体に組み付けたノズルキャップ付き容器とした場合にあっては、内容物を注入した後にチューブ容器の底部をシール加工することにより充填が完了することになるが、ノズルキャップを組み付けた後、内容物を充填する前の保管段階や搬送段階においてはチューブ容器の底部は開放状態にある。
【０００７】
この際、ノズルキャップ付き容器の占有スペースを減少させるため、下位の容器のノズルキャップ側を上位の容器内に底部から挿入することにより、全体として複数のノズルキャップ付き容器を高さ方向に積み重ねたスタック状態に置かれることがある。
【０００８】
しかしながら、チューブ容器は先端部側と底部側が同じ径寸法からなる円筒形状であるため、互いに重なり合った上下のノズルキャップ付き容器同士が密着し、充填時に個々のノズルキャップ付き容器毎に分離し難く、複数の容器が重なる状態で取り出されてしまうと云うトラブルが問題となっていた。
【０００９】
本発明は、上記した従来技術における問題点を解消すべく創案されたものであり、バージン機能を備えたノズルキャップ付き容器において、簡単な構成でノズルの先端にバリ等が形成されないようにして安全で且つ良好な使用状態を確保できると共に、複数のノズルキャップ付き容器をスタック状態においても上下の容器同士を容易に分離することを可能としたノズルキャップ付き容器を創出することを課題とする。
【課題を解決するための手段】
【００１０】
上記課題を解決するための手段のうち、本発明の主たる構成は、
口筒部先端の吐出口が封止体により封止されると共に胴部を肉薄状とした容器本体と、
射出成形法を用いて一体成形された、容器本体の口筒部の周囲に螺着されるキャップ部、キャップ部の頂壁に起立設されたノズル部及び頂壁の下端にノズル部を下方に延設させた穿孔端並びに破断可能なバージン機構を介してキャップ部の下端に垂下設されると共に容器本体に不動に組み付くスカート部を備えた合成樹脂製のノズルキャップと、を有し、
容器本体の胴部を、底部から口筒部に向かって徐々に縮径するテーパ円筒状にすると共に、ノズル部の先端の外径寸法を口筒部の内径寸法未満としたことを特徴とする、と云うものである。
【００１１】
本発明のノズルキャップ付き容器の主たる構成では、ノズルキャップを回転させると、バージン機構に破断が生じてノズル部の下端に設けられた穿孔端が封止体を穿孔して口筒部に吐出口を形成し、本体容器とノズル部との連通を達成する。
またノズルキャップ付き容器を積み重ねてスタック状態としたときには、上位容器の口筒部と下位容器のノズル部との間、及び上位容器の胴部と下位容器の胴部との間にクリアランスの形成を達成し得る。
【００１２】
また本発明のノズルキャップ付き容器の他の構成は、上記したノズルキャップ付き容器の構成に、口筒部の内壁で且つ吐出口の下部近傍の位置に凸リブを形成した、ことを加えたものである。
【００１３】
上記構成では、スタック状態のときに、上位容器の口筒部の封止体と下位容器のノズル先端との当接防止を達成し得る。
【００１４】
また本発明のノズルキャップ付き容器の他の構成は、上記したいずれかのノズルキャップ付き容器の構成に、バージン機構を、キャップ部とスカート部との間を接続する肉薄部により形成した、ことを加えたものである。
【００１５】
上記構成では、肉薄部によりバージン機構を簡単に構成すると共に不正開封防止機能を達成し得る。
【００１６】
または、本発明のノズルキャップ付き容器の他の構成は、上記したいずれかのノズルキャップ付き容器の構成に、バージン機構を、キャップ部とスカート部との間を間欠的に接続する複数の連結片により形成した、ことを加えたものである。
【００１７】
上記構成においても、連結片によりバージン機構を簡単に構成すると共に不正開封防止機能を達成し得る。
【００１８】
また本発明のノズルキャップ付き容器の他の構成は、上記したいずれかのノズルキャップ付き容器の構成に、封止体を、封止シール、又は口筒部と一体成形される肉薄状の蓋体とした、ことを加えたものである。
【００１９】
上記構成では、封止体の構成を簡単にできると共に、封止体の穿孔の容易化を達成し得る。
【００２０】
また本発明のノズルキャップ付き容器の他の構成は、上記したいずれかのノズルキャップ付き容器の構成に、スカート部と容器本体との一方に係止凸部が形成され、他方に係止凹部が形成されており、両者が組み付くことによりアンダーカット結合される、ことを加えたものである。
【００２１】
上記構成では、スカート部を有するノズルキャップと容器本体との容易な組み付け及び離脱防止を達成し得る。
【００２２】
また本発明のノズルキャップ付き容器の他の構成は、上記したいずれかのノズルキャップ付き容器の構成に、容器本体の外面とスカート部の内面とが対向する部分の一方に第１リブが形成され、他方に第２リブが形成されており、両者が周方向に噛み合い可能に組み付けられる、ことを加えたものである。
【００２３】
上記構成では、スカート部の自由な回転防止を達成し得る。
【発明の効果】
【００２４】
本発明は、上記した構成となっているので、以下に示す効果を奏する。
本発明のノズルキャップ付き容器の主たる構成においては、ノズルキャップを回転させると、バージン機構に破断が生じてノズル部の下端に設けられた穿孔端が下降して封止体を穿孔する。これにより、口筒部に吐出口が形成されると同時に、容器本体とノズル部との間が口筒部及び穿孔端を介して連通されて、内容物をノズル部の先端である注出口から注出することができる。また容器本体を肉薄で形成したことから、チューブ容器同様に内容物を容易且つ確実に注出することができる。
【００２５】
しかもノズルの先端にバリが形成されることがないので、安全で且つ良好な使用状態を確保することが可能となる。
【００２６】
さらに保管時や搬送時等において、複数のノズルキャップ付き容器を高さ方向に積み重ねてスタック状態に置いたとしても、上下のノズルキャップ付き容器間の密着を防止することが可能であるため、個々のノズルキャップ付き容器を迅速に分離することが可能となり、製造時に複数の容器が重なって取り出される等のトラブルの発生を防止することが可能となる。
【００２７】
また請求項２の、口筒部の内壁で且つ吐出口の下部近傍の位置に凸リブを形成した構成では、スタック状態としたときに、下位容器のノズル先端に上位容器の封止体が直接載置されることがなくなり、封止体の破損を防止することができるため、バージン性を維持することが可能となる。
【００２８】
また請求項３の、バージン機構を、キャップ部とスカート部との間を接続する肉薄部により形成した構成では、肉薄部を容易に破断することができるので、内容物の注出を迅速且つ確実に行うこと可能となる。またバージン機構は外部から直接目視することが可能であるため、肉薄部の状態から未開封状態にあるか否かを見極めることができ、不正開封防止効果を期待することができる。
【００２９】
また請求項４の、バージン機構を、キャップ部とスカート部との間を間欠的に接続する複数の連結片により形成した構成においても、連結片を容易に破断することができるので、内容物の注出を迅速且つ確実に行うこと可能となる。またバージン機構は外部から直接目視することが可能であるため、連結片の状態から未開封状態にあるか否かを見極めることができ、不正開封防止効果を期待することができる。
【００３０】
また請求項５の、封止体を、封止シール、又は口筒部と一体成形される肉薄状の蓋体とした構成では、封止体の構成を簡単にできると共に、封止体を穿孔が容易となるので、開封作業を迅速且つ確実に行うこと可能となる。
【００３１】
また請求項６の、スカート部と容器本体との一方に係止凸部が形成され、他方に係止凹部が形成されており、両者が組み付くことによりアンダーカット結合される構成では、スカート部を容器本体に嵌め込むだけで、ノズルキャップを容易に組み付けることができると共に、両者を分離し難くすることができる。
【００３２】
また請求項７の、容器本体の外面とスカート部の内面とが対向する部分の一方に第１リブが形成され、他方に第２リブが形成されており、両者が周方向に噛み合い可能に組み付けられる構成では、スカート部の自由な回転が防止されるため、ノズルキャップを正転又は逆転させると、いずれの場合もバージン機構を破断させることできる。これにより、開封作業を迅速且つ確実に行うことが可能になると共に、不正開封が行われたことを確実に検知することができる。
【図面の簡単な説明】
【００３３】
【図１】本発明の実施例として、ノズルキャップ付き容器の未開封状態（使用前状態）を示す半断面図である。
【図２】図１のノズルキャップ付き容器の開封状態（使用後状態）を示す半断面図である。
【図３】ノズルキャップと容器本体の関係を示しており、（ａ）は組み付け前の状態を示す部分断面図、（ｂ）は組み付け後の状態を示す部分断面図である。
【図４】ノズルキャップ付き容器のスタック状態を示す半断面図である。
【図５】ノズル先端と凸リブとの関係の詳細を示す図４の部分拡大図である。
【図６】内容物を充填する一工程を示すノズルキャップ付き容器の倒立姿勢を示す断面図である。
【発明を実施するための形態】
【００３４】
以下、本発明の実施の形態について図面を参照しつつ説明する。
図１は  本発明の実施例として、ノズルキャップ付き容器の未開封状態（使用前状態）を示す半断面図、図２は図１のノズルキャップ付き容器の開封状態（使用後状態）を示す半断面図、図３はノズルキャップと容器本体の関係を示しており、（ａ）は組み付け前の状態を示す部分断面図、（ｂ）は組み付け後の状態を示す部分断面図である。
【００３５】
図１に示すノズルキャップ付き容器（以下、適宜「容器」という）１は、ノズルキャップ２と容器本体１０を有して構成される。
ノズルキャップ２は、比較的硬質な合成樹脂を用いて射出成形することにより一体成形されたものであり、内壁に雌ネジ部が刻設されたキャップ部３と、キャップ部３の頂壁３ａの中央に起立設されたノズル部４を有し、さらに頂壁３ａの下面にノズル部４を下方に延設させた穿設端４ｂと、キャップ部３下端に垂下設されると共に容器本体１０に対して不動に組み付くスカート部５とを有して構成される。穿設端４ｂの下端は、鋭く斜めにカットされた尖形形状であり、後述するように口筒部１１の封止体１５を切り裂くことが可能となっている。
【００３６】
スカート部５は２段構成からなり、上段側の外壁には周方向の滑り防止のためのローレットが刻設され、下部側の内壁には係止凸部７が周設又は所定の間隔を有して間欠的に形成されている。また係止凸部７の下部には、中心方向に突出する第１リブ８が周方向に所定の間隔を有して複数形成されている（図３（ａ）（ｂ）参照）。
なお、ローレットの代わりに、上段側の外壁表面から外径方向に突出する摘みを設ける構成として滑りを防止してもよい。
【００３７】
バージン機構６は、キャップ部３の下端とスカート部５の上端との間のリング状の隙間を連結する部材であり、例えば膜状の肉薄部により、あるいは周方向に沿って間欠的に設けられた複数の連結片により構成され、ノズルキャップ２を回転させることにより破断可能となっている。
【００３８】
容器本体１０は、合成樹脂を用いた射出成形法により胴部１３を肉薄状に一体成形されたものであり、封止体１５により吐出口１１ａが封止された口筒部１１と、口筒部１１の下端から拡径状に形成された肩部１２と、胴部１３及び底部１４を有して構成される。肉薄状に形成された胴部１３はスクイズ変形可能となっている。
【００３９】
口筒部１１の外壁には雄ねじが形成されており、この口筒部１１にノズルキャップ２側のキャップ部３が螺着できるようになっている。口筒部１１の内径寸法φ１は、ノズル部４の外径寸法φ２よりも若干広く形成されており（φ１＞φ２）、後述するように口筒部１１内にはノズル部４が所定のクリアランスを有する状態で挿入可能となっている。
また口筒部１１の内壁で、且つ吐出口１１ａの下端近傍の位置には凸リブ１８が形成されている。この凸リブ１８は、複数の凸部を周方向に間欠的に配置する構成とすることもできるし、リング状とすることもできる。
【００４０】
封止体１５は、例えば口筒部１１と一体成形される肉薄状の蓋体で形成されており、肉薄状の蓋体に対してノズルキャップ２側の穿設端４ｂが垂直に押し入ることにより、容易に切り裂いて穿孔を形成することが可能となっている。
【００４１】
肩部１２から胴部１３に至る部分には凹段部１２ａが設けられており、この凹段部１２ａには係止凹部１６が周設され、また係止凹部１６の下部には複数の第２リブ１７が周方向に所定の間隔を有して複数形成されている（図３（ａ）（ｂ）参照）。
【００４２】
図１に示すように、胴部１３は、底部１４側の径寸φ４が、口筒部１１側の径寸法φ３よりも若干広めに形成されており（φ３＜φ４）、胴部１３は底部１４から口筒部１１に向かって徐々に縮径するテーパ円筒状である。
なお、容器本体１０の射出成形においては底部１４は開放状態で成形される。
【００４３】
次に、上記構成からなるノズルキャップ２と容器本体１０との組み付けについて説明する。
図３（ａ）に示すように、ノズルキャップ２と容器本体１０とは、ノズルキャップ２側のスカート部５を容器本体１０側の凹段部１２ａに嵌め込むことにより組み付けることができる。この際、図３（ｂ）に示すように、スカート部５側の係止凸部７と容器本体１０側の係止凹部１６とがアンダーカット結合するため、両者は容易に分離できなくなる。
同時に、スカート部５側の第１リブ８と容器本体１０側の第２リブ１７とが周方向において噛み合ってスカート部５と容器本体１０とが一体化されるため、スカート部５の自由な回転が防止される。
なお、組み付き後の状態では、穿設端４ｂは封止体１５の頭上に対向配置される。
【００４４】
図４はノズルキャップ付き容器のスタック状態を示す半断面図、図５はノズル先端と凸リブとの関係の詳細を示す図４の部分拡大図である。
容器本体１０にノズルキャップ２が組み付けられた容器１は、内容物を充填するまで保管等されるが、多数の容器１を分けて保管することは占有スペースが大きくなり現実的ではない。このため、図４に示すように、容器１は高さ方向に積み重ねたスタック状態で保管される。
【００４５】
すなわち、下位容器１のノズル部４を、上位容器１の底部１４から胴部１３内に挿入させる。さらに下位容器１のノズル部４を上位容器１の口筒部１１内に挿入させることにより、図５に示すようなノズル部４の先端４ａが凸リブ１８に下方から当接する状態とする。これにより、上位容器１は、凸リブ１８を介して下位容器１のノズル部４先端にスタックされることになる。
【００４６】
この際、上記のように、口筒部１１の内径寸法φ１はノズル部４の外径寸法φ２よりも若干広く形成されているため（φ１＞φ２）、上位容器１の口筒部１１の内壁と下位容器１のノズル部４の外壁との間には若干のクリアランスが形成される。同様に、胴部１３は底部１４から口筒部１１に向かって徐々に縮径するテーパ円筒状であるため、上位容器１の胴部１３の内壁と下位容器１の胴部１３の外壁との間にも若干のクリアランスが形成される。
【００４７】
つまり、上位容器１と下位容器１とは、基本的に下位容器１のノズル部４の先端４ａと上位容器１の凸リブ１８のみが当接し、その他の部分での接触は生じない関係にある。このため、スタック状態にある上位容器１と下位容器１とが互いに密着して分離し難くなることを防止することができる。よって、充填時に、複数の容器１が重なって取り出されてしまうことがなく、容器１を迅速に供給することが可能となる。
【００４８】
また多数の容器１をスタック状態で保管又は搬送することができるため、保管又は搬送のために要する占有スペースを小さくすることができる。あるいは同じ占有スペースであれば、より多くの容器１を効率よく保管し又は搬送することが可能である。
【００４９】
次に、内容物の本体容器への充填について説明する。
図６は内容物を充填する一工程を示すノズルキャップ付き容器の倒立姿勢を示す断面図である。
図４に示すスタック状態にある複数の容器１の中から一の容器１を取り出し、図６に示すような倒立姿勢に設定する。そして、充填装置側の充填ノズル２０を底部１４から容器本体１０内に挿入し、充填ノズル２０を通じて内容物２１を注入する。充填後、底部１４を前後から扁平に押し潰しながら、扁平状に溶着してシールすることにより、内容物２１が充填されたノズルキャップ付き容器１が完成する。
【００５０】
このようなノズルキャップ付き容器１を使用するには、一方の手で容器本体１０又はスカート部５を把持し、他方の指でノズルキャップ２を摘んで正転方向に回転させてバージン機能６を破断させる。さらにノズルキャップ２を回転させると、図２に示すように、ノズルキャップ２がネジ送りされて下降し、穿孔端４ｂが封止体１５を切り裂いて穿孔するため、口筒部１１の上端に吐出口１１ａを形成することができる。これにより、容器本体１０の内部とノズル部４とが口筒部１１及び穿孔端４ｂを介して連通されるため、内容物２１をノズル部４の先端４ａから注出することが可能となる。
ノズルキャップ付き容器１を構成する容器本体１０は肉薄状に形成されて変形することが可能な状態にある。このため、容器本体１０を折り曲げたり、搾り出したりすることにより、内容物２１を最後まで注出することが可能である。
【００５１】
以上、実施例に沿って本発明の構成とその作用効果について説明したが、本発明の実施の形態は上記実施例に限定されるものではない。
例えば、封止体１５として、口筒部１１と一体成形される肉薄状の蓋体を示して説明したが、その他として封止シールで封止する構成とすることも可能である。
【００５２】
また上記実施例では、スカート部５側に係止凸部７を形成し、容器本体１０側に係止凹部１６を形成してアンダーカット結合する構成を示して説明したが、スカート部５側に係止凹部１６を形成し、容器本体１０側に係止凸部７を形成する構成としたものであってもよい。
【産業上の利用可能性】
【００５３】
本発明のノズルキャップ付き容器は、バージン機能を備えて安全で且つ良好な使用状態を確保できる容器の分野、及びスタックして保管等することを必要とする容器の分野における用途展開をさらに広い領域で図ることができる。
【符号の説明】
【００５４】
１    ；  ノズルキャップ付き容器（容器）
２    ；  ノズルキャップ
３    ；  キャップ部
３ａ  ；  頂壁
４    ；  ノズル部
４ａ  ；  先端
４ｂ  ；  穿孔端
５    ；  スカート部
６    ；  バージン機構
７    ；  係止凸部
８    ；  第１リブ
１０  ；  容器本体
１１  ；  口筒部
１１ａ；  吐出口
１２  ；  肩部
１２ａ；  凹段部
１３  ；  胴部
１４  ；  底部
１５  ；  封止体
１６  ；  係止凹部
１７  ；  第２リブ
１８  ；  凸リブ
２０  ；  充填ノズル
２１  ；  内容物
φ１  ；  口筒部の内径寸法
φ２  ；  ノズル部の外径寸法
φ３  ；  胴部の口筒部側の径寸法
φ４  ；  胴部の底部側の径寸法
【図１】
2014088206.tif 000003
【図２】
2014088206.tif 000004
【図３】
2014088206.tif 000005
【図４】
2014088206.tif 000006
【図５】
2014088206.tif 000007
【図６】
2014088206.tif 000008